(57)【要約】【課題】  過熱蒸気を利用して被調理物の加熱調理を行なうことができ、しかも大量生産が容易で且つコストダウンを図ることができ、さらに大型化が容易な業務用の加熱調理装置を提供すること。【解決手段】  焙焼炉２内部の調理室９に収納した被調理物３を焼成により加熱調理するようにした業務用の加熱調理装置１である。焙焼炉２に、既設のスチームボイラー４等の蒸気発生器で発生した蒸気を焙焼炉２外部から内部に導入するための蒸気導入口５を設けると共に、焙焼炉２内部に前記蒸気導入口５から導入された蒸気をガス燃焼熱により加熱して過熱蒸気Ｂを生成するための加熱手段６を設ける。生成された過熱蒸気Ｂを利用して被調理物３を加熱調理する。【選択図】        図１
2006102066.tif 000002
【特許請求の範囲】
【請求項１】
焙焼炉内部の調理室に収納した被調理物を焼成により加熱調理するようにした業務用の加熱調理装置において、前記焙焼炉に、既設のスチームボイラー等の蒸気発生器で発生した蒸気を焙焼炉外部から内部に導入するための蒸気導入口を設けると共に、焙焼炉内部に前記蒸気導入口から導入された蒸気をガス燃焼熱により加熱して過熱蒸気を生成するための加熱手段を設け、生成された過熱蒸気を利用して被調理物を加熱調理することを特徴とする加熱調理装置。
【請求項２】
前記加熱手段は、蒸気を間接的に加熱するためのラジアントチューブ式バーナーで構成されていることを特徴とする請求項１記載の加熱調理装置。
【請求項３】
前記過熱蒸気を調理室内部に循環させるための循環ファンを設けたことを特徴とする請求項１又請求項２記載の加熱調理装置。
【発明の詳細な説明】
【技術分野】
【０００１】
本発明は、加熱調理装置に関し、詳しくは被調理物を過熱蒸気を利用して加熱調理することができる業務用の加熱調理装置に関するものである。
【背景技術】
【０００２】
食品加工業界では、食品の焼き工程で、熱風加熱方式又は蒸気加熱方式により、被調理物の加熱調理を行なうようにしている。
【０００３】
しかし、従来の熱風加熱方式では、蒸気加熱方式と比較して被調理物への伝熱は早いが、空気中の酸素により食品成分が酸化され、風味・風合いが落ちるという問題がある。
【０００４】
また、従来の蒸気加熱方式では、大気圧下では、水の凝縮温度である１００℃までしか加熱できず、食品によって、要求されるカラッとした風合い・表面の焦げ目が得られないという問題がある。
【０００５】
そこで、近年は、飽和蒸気を更に加熱した１００℃以上の過熱蒸気を利用した加熱調理方式が知られている（例えば、特許文献１参照）。
【０００６】
しかしながらこの特許文献１にみられる従来例では、焙焼炉内部に蒸気発生器を組み込んでいるため、焙焼炉の構造が大掛かりとなり、このため大量生産に適さず、コストアップにつながるという問題がある。
【０００７】
また他例として、焙焼炉内部に組み込んだ電気ヒーターを用いて過熱蒸気を得ることが知られている（例えば、特許文献２参照）。
【０００８】
しかしながらこの特許文献２にみられる従来例では、電気ヒーターの伝熱効率が低いため、大型化が困難であり、このため家庭用小型調理器には向いているが、業務用の大型の焙焼炉には不向きであるという問題がある。
【特許文献１】特開２００２−３４４９０号公報
【特許文献２】特開２００４−２０５１３０号公報
【発明の開示】
【発明が解決しようとする課題】
【０００９】
本発明は上記の従来の問題点に鑑みて発明したものであって、過熱蒸気を利用して被調理物の加熱調理を行なうことができ、しかも大量生産が容易で且つコストダウンを図ることができ、さらに大型化が容易な業務用の加熱調理装置を提供することを課題とするものである。
【課題を解決するための手段】
【００１０】
前記課題を解決するために本発明にあっては、焙焼炉２内部の調理室９に収納した被調理物３を焼成により加熱調理するようにした業務用の加熱調理装置において、前記焙焼炉２に、既設のスチームボイラー４等の蒸気発生器で発生した蒸気を焙焼炉２外部から内部に導入するための蒸気導入口５を設けると共に、焙焼炉２内部に前記蒸気導入口５から導入された蒸気をガス燃焼熱により加熱して過熱蒸気Ｂを生成するための加熱手段６を設け、生成された過熱蒸気Ｂを利用して被調理物３を加熱調理することを特徴としている。
【００１１】
このような構成とすることで、蒸気発生器として食品工場等に設置される既設のスチームボイラー４を有効利用できるので、従来の蒸気発生器を炉内部に組み込んだ場合と比較して、焙焼炉２の構造が簡易となる。また、ガス燃焼熱を利用して過熱蒸気Ｂを生成するので、従来の電気ヒーターと異なり、焙焼炉２の大型化が容易となる。また焙焼炉２を大型化した場合でも過熱蒸気Ｂを用いることにより、きわめて早い伝熱効果が得られ、食品の表面硬化を抑えてやわらかくてしっとりとした仕上りに調理でき、それでいて表面に適度な焦げ目をつけることができ、しかも食品成分の酸化を防止でき、食品内部に含まれる塩分及び脂分を減らすことができ、さらにフライ油を使用せずに膨化に優れた低脂質含量の油アゲ様食品を安定して製造できるようになる。
【００１２】
また、前記加熱手段６は、蒸気を間接的に加熱するためのラジアントチューブ式バーナー６Ａで構成されているのが好ましく、この場合、被調理物３が燃焼排ガスにさらされることがないため、食品の風味・風合いが燃焼排ガスによって損なわれるのを防止できる。
【００１３】
また、前記過熱蒸気Ｂを調理室９内部に循環させるための循環ファン１０を設けるのが好ましく、この場合、被調理物３の焼成に寄与した蒸気を加熱手段６により再度加熱して高温の過熱蒸気Ｂとし、この過熱蒸気Ｂを循環ファン１０により調理室９内に再度循環させることにより、蒸気が無駄に捨てられるのを防止できるようになる。
【発明の効果】
【００１４】
本発明に係る業務用の加熱調理装置は、大量生産が容易で且つコストダウンを図ることができると共に大型化が容易となり、さらに焙焼炉を大型化した場合でも過熱蒸気を用いるので、調理時間の短縮化、やわらかくてしっとりとした仕上り効果、表面に適度な焦げ目をつける効果、食品成分の酸化防止効果、減塩効果、減脂効果、更に油なしアゲ効果が得られるものである。
【発明を実施するための最良の形態】
【００１５】
以下、本発明を添付図面に示す実施形態に基いて説明する。
【００１６】
本発明の業務用の加熱調理装置１は、図１に示すように、バッチ型の焙焼炉２と、焙焼炉２の外部に設置される蒸気発生器とで構成されている。蒸気発生器としては、食品工場に設置されている既設のスチームボイラー４が使用される。
【００１７】
上記焙焼炉２の内部には、過熱蒸気Ｂを生成する加熱室８と、被調理物３を収納する調理室９と、過熱蒸気Ｂを調理室９内部に循環させる循環ファン１０とが設けられている。なお焙焼炉２内の有効スペースは、例えば奥行き１４５０ｍｍ、横巾１２５０ｍｍ、高さ１０３０ｍｍ程度とされるが、もちろんこの数値に限定されるものではない。
【００１８】
上記加熱室８には、飽和蒸気Ａを導入する蒸気導入口５が設けられており、この蒸気導入口５が焙焼炉２の外部のスチームパイプ４ａに接続されている。加熱室８の内部には、飽和蒸気Ａをガス燃焼熱により加熱して過熱蒸気Ｂを生成する加熱手段６が配置されている。この加熱手段６は、例えば飽和蒸気Ａを間接的に加熱するためのラジアントチューブ式バーナー６Ａで構成されている。ラジアントチューブ７の平面視形状は、例えば図２に示すようにＵ字状に形成されているが、もちろんＵ字状以外のＷ字状等であってもよい。ラジアントチューブ７の材料は伝熱性及び耐熱性に優れたもの、例えばセラミック、或いはステンレス等からなる。ラジアントチューブ７の一端部には、常温空気または予熱空気を燃焼用空気として使用するガスバーナー１２が設置され、ガスバーナー１２の燃焼排気がラジアントチューブ７内部を通る。このときラジアントチューブ７と飽和蒸気Ａとの間で熱交換が行われることで、飽和蒸気Ａが二次加熱されて過熱蒸気Ｂが生成される。ラジアントチューブ７内の燃焼排ガスはラジアントチューブ７の他端側の排気部１４から排出される。なお、ラジアントチューブ７による間接加熱方式に限らず、ガスバーナー１２による直接加熱方式も可能である。
【００１９】
ここで、スチームボイラー４から発生する「飽和蒸気Ａ」とは、飽和圧力・温度で蒸発又は沸騰によって発生した蒸気のことで、大気圧の場合は１００℃で発生する蒸気のことである。一方、焙焼炉２内部で生成される「過熱蒸気Ｂ」とは、飽和蒸気Ａの中にまだ蒸発しきれないで水の液滴（飽和液）が存在している状態（湿り蒸気）に更に熱を加えたものであり、大気圧では１００℃より高い温度の蒸気をいう。
【００２０】
上記加熱室８の上方には、循環ファン１０及びこれを駆動するモータ１１が配置されている。循環ファン１０は過熱蒸気Ｂを調理室９内部に循環させる働きをする。
【００２１】
また、上記加熱室８の下方には、箱形の調理室９が設けられている。調理室９の上下には天井壁９ａと底面壁９ｂとが設けられ、前後左右の四方のうちの三方には、上下複数のスリット状の側面開口１５が開口した側面壁９ｃが設けられ、残り一方には開閉自在な扉１６（図３（ｂ）、図５（ｂ））が設けられている。調理室９の側面壁９ｃと焙焼炉２の内壁面との間は、加熱室８と調理室９の側面開口１５とを連通させる通路１７となっている。また調理室９の天井壁９ａには蒸気排気口１８が開口しており、この蒸気排気口１８の上方に前記ラジアントチューブ７が配置されている。
【００２２】
上記調理室９の内部には、魚、肉、パン、豆腐等の被調理物３を載置するための上下複数の食品収納棚１９が収納されている。各食品収納棚１９は例えば、網のような通気性を有する部材で構成され、過熱蒸気Ｂが各被調理物３に十分に行き渡るようにしている。なお、食品収納棚１９は調理室９内に固定される据え置き式、或いは調理室９から取り出し可能な移動式のいずれであってもよい。
【００２３】
上記焙焼炉２の具体例として、図３、図４に示すバッチ型オーブン炉が挙げられる。図中の２１は排気口、２２は温度センサ、２３ドレン口である。或いは図５、図６に示す油なしアゲ用オーブン炉が挙げられる。図中の２１は排気口、２５は吸気口、２６は扉昇降用の電動チェーンブロック、２７は扉上下限用リミットスイッチ、２８は蒸気電磁弁である。もちろん、焙焼炉２の型式は図３〜図６に限定されるものではない。
【００２４】
次に、上記構成の加熱調理装置１の使用例を説明する。調理室９内部の食品収納棚１９に被調理物３を載置して扉を閉じ、制御盤２０より調理条件を入力する。ＣＰＵ等の制御部では入力された調理条件に基づき、予めプログラムされている複数の調理法の中から最適のものを選択して、循環ファン１０、ガスバーナー１２、スチームボイラー４等を駆動制御する。先ず、図１に示すスチームボイラー４で発生した飽和蒸気Ａが、焙焼炉２の蒸気導入口５から加熱室８内部に導入され、ラジアントチューブ７によって更に加熱されることにより、１００℃以上の過熱蒸気Ｂが生成される。このとき、被調理物３の温度が低い加熱初期段階では、過熱蒸気Ｂが低温の被調理物３の表面で凝縮されて水滴となるが、調理が進むにつれて被調理物３の表面温度が上昇し、凝縮作用が低下し、供給される過熱蒸気Ｂが凝縮する蒸気よりも多くなり、被調理物３の温度が１００℃を超えることにより、蒸気が被調理物３の表面で凝縮しなくなり、過熱蒸気Ｂにより焼成される。
【００２５】
ここで本発明においては、飽和蒸気Ａを発生する蒸気発生器として、食品工場等に設置される既設のスチームボイラー４を有効利用するので、従来のように蒸気発生器を組み込んだ焙焼炉と比較して、焙焼炉２の構造がきわめて簡易となり、大量生産が容易となり、コストダウンを図ることができる。しかもスチームボイラー４は食品工場等には一般に設置されているため新たにスチームボイラー４を設置する必要がなく、設備費がかからず、一層のコストダウンを図ることができる。
【００２６】
また、加熱手段６としてガス燃焼熱を利用することにより、従来の電気ヒーターを用いる場合と比較して伝熱効率が高くなり、しかも従来の電気ヒーターと異なり大型化が容易であり、その結果、業務用の大型の加熱調理装置１に最適に使用できるものとなる。
【００２７】
さらに、焙焼炉２を大型化した場合でも過熱蒸気Ｂを用いることにより以下の利点がある。（１）、過熱蒸気Ｂは、空気よりも熱伝達率が高く、従来の熱風加熱方式と比較しても、伝熱速度に差がなく、きわめて早い伝熱により、食品の芯まで早く加熱できるようになり、調理時間を短縮できる。（２）、過熱蒸気Ｂは食品内部の水分の蒸発を防止するので、食品の表面硬化を抑えることができ、やわらかくてしっとりとした仕上りに調理することができる。また輻射加熱効果により食品の表面を乾燥させることができ、表面に適度な焦げ目がつくので、パリッとした仕上りが得られる。この効果が顕著な例としては、例えば、シュークリームの皮、パン等を焼く場合が挙げられる。（３）、過熱蒸気Ｂによる加熱では、焙焼炉２内部が無酸素状態に近くなり、食品の酸化を低減することができる。つまり、低酸素雰囲気下での無酸化加工処理によって、調理室９内が無酸素状態となるため、従来の熱風加熱方式の場合のように食品成分が酸化されることもなく、とくに食品に含まれる油脂の酸化が避けられるため、風味が良好となる。そのうえビタミンＣなどの酸化劣化や破壊を抑える効果も得られる。（４）、食品内部に含まれる塩分及び脂分が食品表面に付着する過熱蒸気Ｂに溶出して落下することにより、減塩効果及び減脂効果が得られる。脂分を落とす食品の調理例としては、焼豚が挙げられる。（５）、従来、油アゲの製造においては多量のフライ油を必要としていたが、過熱蒸気Ｂを用いることにより、フライ油を使用せずに膨化に優れた低カロリーで低脂質含量の油アゲ様食品を安定して製造できる。実験によれば、焙焼炉２内部の設定温度を１８０℃とし、飽和蒸気Ａの投入量を１００ｋｇ／ｈ以上の条件で、豆腐薄揚げ製品を１５分間、バッチ処理したところ、油で揚げるのと同様の仕上りが得られた。
【００２８】
また本例では、ラジアントチューブ式バーナー６Ａによる間接加熱により過熱蒸気Ｂを生成するので、食品が燃焼排ガスにさらされることがなく、従って、食品の風味・風合いが損なわれることがなくなる。また食品に応じてガスバーナー１２の火加減を調節することにより、調理室９へ供給される過熱蒸気Ｂの温度を任意の温度に調節できると同時に過熱蒸気Ｂの温度を最適温度に安定させることができる。
【００２９】
さらに、食品の焼成に寄与した蒸気は、その後、調理室９の天井壁９ａの排気口から排気されるが、ラジアントチューブ式バーナー６Ａによって再度加熱されて高温の過熱蒸気Ｂとなり、循環ファン１０によって調理室９内に再度循環されるので、蒸気が無駄に捨てられることがなく、経済的となる。また、加熱初期段階で循環ファン１０の回転数を低くすれば、食品の表面が乾燥し焦げるのを防止しながら食品の中心部が昇温するように加熱調理することができるようになり、その後、加熱終了直前の段階で循環ファン１０の回転数を高くすれば、食品の表面を乾燥させることができ、ぱりっとした仕上げにすることができる。このように循環ファン１０の回転数を制御することにより、仕上りバラツキの少ない加熱調理ができる利点もある。
【図面の簡単な説明】
【００３０】
【図１】本発明の一実施形態の加熱調理装置の説明図である。
【図２】同上の焙焼炉を上面から見た概略図である。
【図３】（ａ）（ｂ）は焙焼炉の一例であるバッチ型オーブン炉の平面図、及び正面図である。
【図４】同上のバッチ型オーブン炉の側面図である。
【図５】（ａ）（ｂ）は焙焼炉の他例である油なしアゲ用オーブン炉の平面図、及び正面図である。
【図６】同上の油なしアゲ用オーブン炉の側面図である。
【符号の説明】
【００３１】
１  加熱調理装置
２  焙焼炉
３  被調理物
４  スチームボイラー
５  蒸気導入口
６  加熱手段
６Ａ  ラジアントチューブ式バーナー
８  加熱室
９  調理室
１０  循環ファン
Ａ  飽和蒸気
Ｂ  過熱蒸気
【図１】
2006102066.tif 000003
【図２】
2006102066.tif 000004
【図３】
2006102066.tif 000005
【図４】
2006102066.tif 000006
【図５】
2006102066.tif 000007
【図６】
2006102066.tif 000008